(57)【要約】【課題】簡素な構造でありながら介護者の負担を限定的にすることのできる操作性に優れた排便誘導器を提供する。【解決手段】  温水を蓄えるタンクを備えた温水タンク・ポンプ部１６と、温水噴射孔３から温水を噴射するヘッド部１と、  操作部を備えた本体７と、ヘッド部１と本体７とを連結するアーム６とを有する。本体７の操作部を操作することにより温水タンク・ポンプ部１６の温水をヘッド部１に供給して温水噴射孔３から温水を噴射させる。ヘッド部１はカメラ２と照明ライト４とを有する。本体７にはモニター８が設けられている。【選択図】図１
2014084704.tif 000002
【特許請求の範囲】
【請求項１】
温水を蓄えるタンクと該タンク内の温水を圧送するためのポンプを備えた温水タンク・ポンプ部と、
温水噴射孔を備え、該温水噴射孔から温水を噴射するヘッド部と、
前記温水タンク・ポンプ部の前記ポンプを制御する操作部を備えた本体と、
前記ヘッド部と前記本体とを連結するアームとを有し、
前記本体の前記操作部を操作することにより前記温水タンク・ポンプ部の温水を前記ヘッド部に供給して前記温水噴射孔から温水を噴射させることができ、
また、前記ヘッド部にはカメラと照明ライトとが配置され、
前記本体には、前記カメラで撮影した画像を表示するモニターが設けられていることを特徴とする手持ち式排便誘導器。
【請求項２】
前記本体に、前記カメラ及び前記照明ライトの動作をＯＮ、ＯＦＦするスイッチが設けられている、請求項１に記載の手持ち式排便誘導器。
【請求項３】
前記本体に、手で持つ部位であるグリップ部が設けられ、該グリップ部に前記操作部が設けられている、請求項１又は２に記載の手持ち式排便誘導器。
【発明の詳細な説明】
【技術分野】
【０００１】  本発明は排便誘導に関し、より詳しくは手持ち式の排便誘導器に関するものである。
【背景技術】
【０００２】  脊髄損傷者は慢性的便秘になりやすく、摘便、下剤、浣腸などの連用により２次障害を発生させて苦しんでいる人が多い。【０００３】  この問題に対して本件出願人は便座に組み込むことのできる排便誘導装置を既に提案した（特許文献１）。
【先行技術文献】
【特許文献】
【０００４】
【特許文献１】  特開２０１０−１６８８５２号公報
【発明の概要】
【発明が解決しようとする課題】
【０００５】  特許文献１に開示の排便誘導装置はその動作及び操作の自動化を目的としたものであり、必然的に高価なものにならざるを得ない。【０００６】  本件発明者らは、簡素化した構造でありながら効果的な排便誘導が可能な排便誘導器を模索し且つ試作して思考錯誤した結果、本発明を案出するに至ったものである。【０００７】  本発明の目的は、簡素な構造でありながら効果的な排便誘導が可能な排便誘導器を提供することにある。【０００８】  本発明の更なる目的は、介護者の負担を限定的にすることのできる操作性に優れた排便誘導器を提供することにある。
【課題を解決するための手段】
【０００９】  上記の技術的課題を達成すべく、本発明にあっては、
温水を蓄えるタンクと該タンク内の温水を圧送するためのポンプを備えた温水タンク・ポンプ部と、
温水噴射孔を備え、該温水噴射孔から温水を噴射するヘッド部と、
前記温水タンク・ポンプ部の前記ポンプを制御する操作部を備えた本体と、
前記ヘッド部と前記本体とを連結するアームとを有し、
前記本体の前記操作部を操作することにより前記温水タンク・ポンプ部の温水を前記ヘッド部に供給して前記温水噴射孔から温水を噴射させることができ、
また、前記ヘッド部にはカメラと照明ライトとが配置され、
前記本体には、前記カメラで撮影した画像を表示するモニターが設けられていることを特徴とする手持ち式排便誘導器を提供することにより達成される。
【図面の簡単な説明】
【００１０】
【図１】  実施例の手持ち式排便誘導器の概略的な構成を説明するための斜視図である。
【図２】  実施例の手持ち式排便誘導器に含まれるヘッド部を説明する平面図である。
【図３】  実施例の手持ち式排便誘導器に含まれる本体及びヘッド部の平面図である。
【図４】  実施例の手持ち式排便誘導器に含まれる本体及びヘッド部の側面図である。
【図５】  実施例の手持ち式排便誘導器の使用状態を説明するための図である。
【発明を実施するための形態】
【実施例】
【００１１】  図１は実施例の手持ち式排便誘導器の概要を示す。図示の手持ち式排便誘導器は、ヘッド部１と、ヘッド部１をアーム６で連結した本体７と、本体７に連結された温水タンク・ポンプ部１６とで構成されている。本体７と温水タンク・ポンプ部１６とは、可撓性の排出ホース１４、電気コード１５で連結されている（図５）。【００１２】  アーム６は力を加えることで自在に変形でき、力を解放するとその形を維持する。介護者が本体７のグリップ部１２を持ってヘッド部１を便座に着座している本人の肛門直下に挿入する。【００１３】  本体７のライト用スイッチ９とカメラ用スイッチ１０を押すと、ヘッド部１のライト４が座位の下側に当たる肛門部を照射してその状態をカメラ２が本体７の液晶モニター８に映し出す。ライト用スイッチ９とカメラ用スイッチ１０を押し続けてモニター８に表示されている画像を見ながら本人または介護者が適切な位置に位置決めされていることを確認して温水噴出操作レバー１１を引くと温水噴出孔３から温水柱が噴出して肛門口に当たり、直腸内に進入して排便反射を促進させることができる。【００１４】  本体７には、便器縁に係止させる固定具１３を有しているのが好ましく、この固定具１３によって本体７を位置決めできるので本人または介護者は本体７のグリップ部１２を持ってヘッド部１を微妙に位置調整することができる。【００１５】  温水タンク・ポンプ部１６には約２リットルの温水を入れることができ、この注入口には蓋で覆うことができるのがよい。温水タンク・ポンプ部１６にヒーター（図示せず）を設置して温水の温度を一定に維持できるようにしてもよい。【００１６】  アーム６には温水排出用ホース、電気コードが内蔵されており、力を加えることで自在に変形させることができる。【００１７】  グリップ部１２を有する本体７には、液晶モニター８、ライトスイッチ用９、カメラ用スイッチ１０があり、グリップ部１２の裏面に温水噴出操作レバー１１は配設されている。【００１８】  図４を参照して、噴出した温水が便とともに落下することから保護するために、透明防水カバー５をヘッド部１に設けるのがよい。【００１９】  実施例の手持ち式排便誘導器の実証試験を行ったところ、直腸内に便を有する肛門管軸とそれにつながる直腸に適切な流量の温水柱を間欠的に噴射して、直腸の排便反射を促進して排便を誘導することができることが確認できた。具体的には、脊髄損傷者に適用して検証したところ摘便、下剤、浣腸の連用による後遺症から解放されて生理的な自然排便が可能となっている。
【符号の説明】
【００２０】  １  ヘッド部
２  カメラ
３  温水噴出孔
４  照明ライト
５  透明防水カバー
６  アーム（温水排出用ホース、電気コード内蔵の管）
７  本体
８  液晶モニター
９  ライト用スイッチ
１０  カメラ用スイッチ
１１  温水噴出用操作レバー
１２  グリップ部
１３  便器縁にはめる固定具
１４  排出ホース
１５  電気コード
１６  温水タンク・ポンプ部
【図１】
2014084704.tif 000003
【図２】
2014084704.tif 000004
【図３】
2014084704.tif 000005
【図４】
2014084704.tif 000006
【図５】
2014084704.tif 000007